(57)【特許請求の範囲】
【請求項１】
ねじ挿通孔を有する表面塗装された反射板を、その反射面側から前記ねじ挿通孔に挿通される反射板取付用つまみねじで器具本体に固定する照明器具の反射板取付構造であって、前記つまみねじの頭部のねじ設置側に導通部を設け、この導通部が反射板のねじ挿通孔近傍の背面の表面塗装を剥離して、前記つまみねじ、反射板および器具本体の相互間の導通を可能としたこと特徴とする照明器具の反射板取付構造。
【請求項２】
反射板のねじ挿通孔の端面に、つまみねじの導通部に向かって突出する突起部を設けた請求項１記載の照明器具の反射板取付構造。
【請求項３】
反射板をその反射面側から器具本体に固定する反射板取付用つまみねじの頭部のねじ設置側に、前記反射板のねじ挿通孔近傍の背面の表面塗装を剥離して前記反射板と導通可能とする導通部を設けたことを特徴とする反射板取付用つまみねじ。
【請求項４】
導通部は頭部から突設されるばね体で、ねじ挿通孔に挿通して器具本体のつまみねじ螺合孔近傍に当接して、反射板背面に押し付けられる請求項３記載の反射板取付用つまみねじ。
【請求項５】
ばね体の反射板接触部に凹凸を設けた請求項４記載の反射板取付用つまみねじ。
【請求項６】
ばね体の先端に爪状の突起を形成した請求項４記載の反射板取付用つまみねじ。
【発明の詳細な説明】
【０００１】
【発明の属する技術分野】
この発明は、照明器具の反射板取付構造および反射板取付用つまみねじに関するものである。
【０００２】
【従来の技術】
図１９（ａ）は従来の照明器具の反射板取付構造の分解斜視図、（ｂ）はつまみねじの拡大図、図２０は従来例の断面図、図２１は別の従来例の断面図である。図１９において、１は器具本体、２は反射板、５０は反射板取付用つまみねじである。反射板２はつまみねじ５０で器具本体１に固定される。つまみねじ５０は、図２０に示すようにねじ頭部の色合いを照明器具に合わせるため、ねじ頭部樹脂５１ａなどで覆っている。また、図２１に示すように、つまみねじ５２の頭部５３が金属で形成されたものでは、反射板２の塗装を削るための突起５３ａが頭部５３に設けてある。
【０００３】
【発明が解決しようとする課題】
しかしながら、前者のつまみねじ５０では、反射板２との接触面に金属部の露出が少なく、アースするために器具本体１から反射板２に電気的導通がとれないという問題があった。また、後者のつまみねじ５２では、突起５３ａにより反射板表面に傷がつくため、錆などの外観低下の原因になっていた。
【０００４】
したがって、この発明の目的は、外観の低下を招くことなく器具本体と反射板の導通を得ることができる照明器具の反射板取付構造および反射板取付用つまみねじを提供することである。
【０００５】
【課題を解決するための手段】
上記課題を達成するためにこの発明の請求項１記載の照明器具の反射板取付構造は、ねじ挿通孔を有する表面塗装された反射板を、その反射面側から前記ねじ挿通孔に挿通される反射板取付用つまみねじで器具本体に固定する照明器具の反射板取付構造であって、前記つまみねじの頭部のねじ設置側に導通部を設け、この導通部が反射板のねじ挿通孔近傍の背面の表面塗装を剥離して、前記つまみねじ、反射板および器具本体の相互間の導通を可能とした。
【０００６】
このように、つまみねじの頭部のねじ設置側に導通部を設け、この導通部が反射板のねじ挿通孔近傍の背面の表面塗装を剥離して、つまみねじ、反射板および器具本体の相互間の導通を可能としたので、器具本体と反射板の導通を容易に取れる照明器具を実現できる。また、導通部が反射板のねじ挿通孔近傍の背面の表面塗装を剥離するので、外観が低下しない。
【０００７】
請求項２記載の照明器具の反射板取付構造は、請求項１において、反射板のねじ挿通孔の端面に、つまみねじの導通部に向かって突出する突起部を設けた。このように、反射板のねじ挿通孔の端面に、つまみねじの導通部に向かって突出する突起部を設けたので、つまみねじがねじ挿通孔に当たったときに塗装が剥がれやすくなる。
【０００８】
請求項３記載の反射板取付用つまみねじは、反射板をその反射面側から器具本体に固定する反射板取付用つまみねじの頭部のねじ設置側に、前記反射板のねじ挿通孔近傍の背面の表面塗装を剥離して前記反射板と導通可能とする導通部を設けた。このように、反射板をその反射面側から器具本体に固定する反射板取付用つまみねじの頭部のねじ設置側に、反射板のねじ挿通孔近傍の背面の表面塗装を剥離して反射板と導通可能とする導通部を設けたので、器具本体と反射板の導通を容易に取れる。また、導通部が反射板のねじ挿通孔近傍の背面の表面塗装を剥離するので、外観が低下しない。
【００１２】
請求項４記載の反射板取付用つまみねじは、請求項３において、導通部は頭部から突設されるばね体で、ねじ挿通孔に挿通して器具本体のつまみねじ螺合孔近傍に当接して、反射板背面に押し付けられる。このように、導通部は頭部から突設されるばね体で、ねじ挿通孔に挿通して器具本体のつまみねじ螺合孔近傍に当接して、反射板背面に押し付けられるので、つまみねじの締め代の変位で確実に導通を取ることができる。また、反射板背面に傷をつけて導通を取るため、外観の低下が全くなく、さらに反射板背面の方が一般に塗装膜厚が薄いため導通を取り易いという利点がある。
【００１３】
請求項５記載の反射板取付用つまみねじは、請求項４において、ばね体の反射板接触部に凹凸を設けた。このように、ばね体の反射板接触部に凹凸を設けたので、反射板背面に傷を付けやすくなる。
【００１４】
請求項６記載の反射板取付用つまみねじは、請求項４において、ばね体の先端に爪状の突起を形成した。このように、ばね体の先端に爪状の突起を形成したので、反射板背面に傷を付けやすくなる。
【００１５】
【発明の実施の形態】
この発明の参考例１を図１に基づいて説明する。図１はこの発明の参考例１の反射板取付用つまみねじによる反射板取付構造の断面図である。つまみねじを除く照明器具の全体構成は図１９と同様である。
【００１６】
図１に示すように、反射板２を反射板取付用つまみねじ３で器具本体１に固定する。つまみねじ３は、ねじ頭部４のねじ設置側にねじ部５と導通した導通部６を設け、この導通部６が表面塗装されていない反射板２に接して、つまみねじ３、反射板２および器具本体１の相互間の導通を可能とした。この場合、ねじ頭部４の色合いを照明器具に合わせるため樹脂部４ａで覆われ、下面に導通部６となる金属部分を露出させている。導通部６の径は反射板２のねじ挿通孔２ａの径よりも大きく、取付状態で導通部６がねじ挿通孔２ａに挿通されず反射板２の背面に接する。このため、反射板２が金属で塗装などが施されていない場合、器具本体１と反射板２の導通を取ることができる。
【００１７】
取付時には、つまみねじ３のねじ部５を反射板２のねじ挿通孔２ａに挿通して器具本体１のねじ螺合孔１ａに螺合する。この際、導通部６が表面塗装されていない反射板２に接するので、外観が低下しない。
【００１８】
この発明の参考例２を図２に基づいて説明する。図２はこの発明の参考例２の反射板取付用つまみねじによる反射板取付構造の断面図である。
【００１９】
図２に示すように、反射板２を反射板取付用つまみねじ３で器具本体１に固定する。つまみねじ３は、ねじ頭部４のねじ設置側にねじ部５と導通した導通部６を設け、この導通部６が反射板２のねじ挿通孔２ａ近傍の端面の表面塗装を剥離し、つまみねじ３、反射板２および器具本体１の相互間の導通を可能とした。この場合、ねじ頭部４の色合いを照明器具に合わせるため樹脂部４ａで覆われ、下面に導通部６となる金属部分を露出させている。導通部６の外径を反射板２のねじ挿通孔２ａの径に合わせたものであり、取付状態で反射板２の端面に傷をつける。このため、反射板２に塗装などが施されいる場合、ねじ挿通孔２ａの端面の塗装を削り、導通を取ることができる。
【００２０】
取付時には、つまみねじ３のねじ部５を反射板２のねじ挿通孔２ａに挿通して器具本体１のねじ螺合孔１ａに螺合する。この際、導通部６が反射板２のねじ挿通孔２ａ近傍の端面の表面塗装を剥離するので、反射板２の表面に傷がつかず外観が低下しない。
【００２１】
図３は参考例２の変形例の断面図である。図３に示すように、導通部６がテーパ状に形成され、ねじ挿通孔２ａへの挿入性を向上させた。この場合、導通部６の樹脂部４ａから露出した部分が図２と比較して大きく、導通部６の内径が小さくなるためねじ挿通孔孔２ａに挿入し易い。また、導通部６の外径は図２と同様に反射板２のねじ挿通孔２ａの径に合わせてあるか、またはねじ挿通孔２ａの径より大きくしてあり、取付状態で反射板２の端面に傷をつけ、導通を取ることができる。
【００２２】
この発明の参考例３を図４および図５に基づいて説明する。図４はこの発明の参考例３の反射板取付用つまみねじの斜視図、図５は図４のＡ−Ａ断面図である。
【００２３】
図４および図５に示すように、つまみねじ７の導通部８はねじ挿通孔２ａの端面に食いついて、反射板の表面塗装を剥離して貫通する。導通部８は、ねじ挿通孔２ａに締め付け可能なタイトねじ形状に形成されている。この場合、ねじ挿通孔２ａの内周面に所定角度（１２０°）毎に食い込むように導通部８が３方向に突出してあり、ねじ挿通孔２ａに締め付けることができる。この参考例では、ねじ挿通孔２ａの端面を削り確実に導通を取ることができる。その他の構成は参考例１と同様であり、同一部材には同一符号を付す。
【００２４】
図６は参考例３の変形例の斜視図である。図６に示すように、つまみねじ９の導通部１０はねじ挿通孔２ａの表面塗装を切削可能なドリル（ローレット）形状に形成されている。取付状態では、ねじ挿通孔２ａの端面を削り、反射板の表面塗装を剥離して貫通することで、確実に導通を取ることができる。
【００２５】
図７は参考例３の別の変形例の斜視図である。図７に示すように、つまみねじ１１のねじ頭部１２は金属で形成され、このねじ頭部１２のねじ設置側に突起部を設けてこれを導通部１３としている。導通部１３の外径はねじ挿通孔２ａの径に合わせてある。取付状態では、ねじ挿通孔２ａの端面に傷をつけ、反射板の表面塗装を剥離して貫通することで、確実に導通を取ることができる。
【００２６】
この発明の第１の実施の形態を図８〜１０に基づいて説明する。図８はこの発明の第１の実施の形態の反射板取付用つまみねじによる反射板の取付前の断面図、図９は取付途中の断面図、図１０は取付完了後の断面図である。
【００２７】
図１０に示すように、つまみねじ１４の導通部１５は頭部４から突設されるばね体で、ねじ挿通孔２ａに挿通して器具本体１のつまみねじ螺合孔１ａ近傍に当接して、反射板２背面に押し付けられる。導通部１５はねじ設置側に開いた板ばねであり、その先端の間隔ｃがねじ挿通孔２ａより小さくしてある。
【００２８】
反射板２の取付時には、図８および図９に示すように、つまみねじ１４のねじ部５を導通部１５とともにねじ挿通孔２ａに挿入し、ねじ部５をねじ螺合孔１ａに螺合する。このとき、導通部１５の先端が器具本体１に当接しても、導通部１５と反射板２とは離れている。さらに、つまみねじ１４をねじ込むと、図１０に示すように、ねじ頭部４により反射板２が器具本体１側へ押し付けられ、反射板２と器具本体１の間隔（締め代）ｄが狭くなり、導通部１５がねじ挿通孔２ａの端面に接触して導通を取ることができる。その他の構成は参考例１と同様であり、同一部材には同一符号を付す。
【００２９】
このように、つまみねじ１４の締め代ｄの変位で確実に導通を取ることができる。また、反射板２背面に傷をつけて導通を取るため、外観の低下が全くなく、さらに反射板２背面の方が一般に塗装膜厚が薄いため導通を取り易いという利点がある。
【００３０】
図１１は第１の実施の形態の変形例の斜視図である。図１１に示すように、導通部１５の反射板接触部に凹凸１６を設けた。この凹凸１６により反射板２背面に傷を付け易くなり、さらに確実に器具本体１と反射板２の導通を取ることができる。
【００３１】
この発明の第２の実施の形態を図１２〜１５に基づいて説明する。図１２はこの発明の第２の実施の形態の反射板取付用つまみねじによる反射板の取付前の断面図、図１３は取付途中の断面図、図１４は取付完了後の断面図、図１５は第２の実施の形態の反射板取付用つまみねじの斜視図である。
【００３２】
図１４および図１５に示すように、つまみねじ１７の導通部１８は頭部４から突設されるばね体で、ねじ挿通孔２ａに挿通して器具本体１のつまみねじ螺合孔１ａ近傍に当接して、反射板２背面に押し付けられる。導通部１８はねじ頭部１９側に開いた板ばねであり、ゴムなどの弾力性を有するスペーサ２０を介在させてねじ頭部１９に取付けてある。また、ねじ頭部１９には導通部１８が変形したときに入る逃がし２１が設けてある。導通部１８の先端は爪状の突起２２を形成している。
【００３３】
反射板２の取付時には、図１２および図１３に示すように、つまみねじ１７のねじ部５を導通部１８とともにねじ挿通孔２ａに挿入し、ねじ部５をねじ螺合孔１ａに螺合する。このとき、導通部１８の基端が器具本体１に当接しても、導通部１８と反射板２とは離れている。さらに、つまみねじ１４をねじ込むと、図１４に示すように、ねじ頭部１９により反射板２が器具本体１側へ押し付けられ、スペーサ２０が弾性変形し、反射板２と器具本体１の間隔（締め代）ｄが狭くなり、導通部１８の先端が反射板２の背面に接触して導通を取ることができる。その他の構成は参考例１と同様であり、同一部材には同一符号を付す。
【００３４】
このように、つまみねじ１７の締め代ｄの変位で確実に導通を取ることができる。また、反射板２背面に傷をつけて導通を取るため、外観の低下が全くなく、さらに反射板２背面の方が一般に塗装膜厚が薄いため導通を取り易いという利点がある。
【００３５】
この発明の第３の実施の形態を図１６および図１７に基づいて説明する。図１６はこの発明の第３の実施の形態の反射板取付用つまみねじによる反射板取付構造の断面図、図１７は第３の実施の形態において反射板のねじ挿通孔の例を示す平面図である。
【００３６】
図１６および図１７に示すように、反射板２２のねじ挿通孔２２ａの端面に、つまみねじ３の導通部６に向かって突出する突起部２３を設け、反射板２２に傷を付けやすくしている。つまみねじ３は参考例１、２と同様であり、導通部６が反射板２２のねじ挿通孔２２ａ近傍の端面の表面塗装を剥離し、つまみねじ３、反射板２２および器具本体１の相互間の導通を可能とした。その他の構成は参考例１と同様であり、同一部材には同一符号を付す。
【００３７】
取付時には、つまみねじ３のねじ部５を反射板２２のねじ挿通孔２２ａに挿通して器具本体１のねじ螺合孔１ａに螺合することで、導通部６が反射板２２のねじ挿通孔２２ａ近傍の端面の表面塗装を剥離する。この際、つまみねじ３がねじ挿通孔２２ａに当たったときに突起部２３により塗装が剥がれやすくなり、器具本体１と反射板２２の導通を確実に取ることができる。ねじ挿通孔２２ａは、図１７（ａ）に示す円形のほか、（ｂ）に示すような長孔でもよい。長孔の場合、反射板２と器具本体１の取付位置がずれても対応できる。
【００３８】
図１８は第３の実施の形態の変形例を示す断面図である。図１８に示すように、突起部２３にねじ頭部４側に屈曲した返りをつける。これにより、つまみねじ３の締め付けにより突起部２３が変形しその復元力で導通部６に食い込み、安定した導通を取ることができる。
【００３９】
【発明の効果】
この発明の請求項１記載の照明器具の反射板取付構造によれば、つまみねじの頭部のねじ設置側に導通部を設け、この導通部が反射板のねじ挿通孔近傍の背面の表面塗装を剥離して、つまみねじ、反射板および器具本体の相互間の導通を可能としたので、器具本体と反射板の導通を容易に取れる照明器具を実現できる。また、導通部が反射板のねじ挿通孔近傍の背面の表面塗装を剥離するので、外観が低下しない。
【００４０】
請求項２では、反射板のねじ挿通孔の端面に、つまみねじの導通部に向かって突出する突起部を設けたので、つまみねじがねじ挿通孔に当たったときに塗装が剥がれやすくなる。
【００４１】
この発明の請求項３記載の反射板取付用つまみねじによれば、反射板をその反射面側から器具本体に固定する反射板取付用つまみねじの頭部のねじ設置側に、反射板のねじ挿通孔近傍の背面の表面塗装を剥離して反射板と導通可能とする導通部を設けたので、器具本体と反射板の導通を容易に取れる。また、導通部が反射板のねじ挿通孔近傍の背面の表面塗装を剥離するので、外観が低下しない。
【００４５】
請求項４では、導通部は頭部から突設されるばね体で、ねじ挿通孔に挿通して器具本体のつまみねじ螺合孔近傍に当接して、反射板背面に押し付けられるので、つまみねじの締め代の変位で確実に導通を取ることができる。また、反射板背面に傷をつけて導通を取るため、外観の低下が全くなく、さらに反射板背面の方が一般に塗装膜厚が薄いため導通を取り易いという利点がある。
【００４６】
請求項５では、ばね体の反射板接触部に凹凸を設けたので、反射板背面に傷を付けやすくなる。
【００４７】
請求項６では、ばね体の先端に爪状の突起を形成したので、反射板背面に傷を付けやすくなる。
【図面の簡単な説明】
【図１】  この発明の参考例１の反射板取付用つまみねじによる反射板取付構造の断面図である。
【図２】  この発明の参考例２の反射板取付用つまみねじによる反射板取付構造の断面図である。
【図３】  参考例２の変形例の断面図である。
【図４】  この発明の参考例３の反射板取付用つまみねじの斜視図である。
【図５】  図４のＡ−Ａ断面図である。
【図６】  参考例３の変形例の斜視図である。
【図７】  参考例３の別の変形例の斜視図である。
【図８】  この発明の第１の実施の形態の反射板取付用つまみねじによる反射板の取付前の断面図である。
【図９】  第１の実施の形態において取付途中の断面図である。
【図１０】  第１の実施の形態において取付完了後の断面図である。
【図１１】  第１の実施の形態の変形例の斜視図である。
【図１２】  この発明の第２の実施の形態の反射板取付用つまみねじによる反射板の取付前の断面図である。
【図１３】  第２の実施の形態において取付途中の断面図である。
【図１４】  第２の実施の形態において取付完了後の断面図である。
【図１５】  第２の実施の形態の反射板取付用つまみねじの斜視図である。
【図１６】  この発明の第３の実施の形態の反射板取付用つまみねじによる反射板取付構造の断面図である。
【図１７】  第３の実施の形態において反射板のねじ挿通孔の例を示す平面図である。
【図１８】  第３の実施の形態の変形例を示す断面図である。
【図１９】  （ａ）は従来の照明器具の反射板取付構造の分解斜視図、（ｂ）はつまみねじの拡大図である。
【図２０】  従来例の断面図である。
【図２１】  別の従来例の断面図である。
【符号の説明】
１  器具本体
１ａ  ねじ螺合孔
２  反射板
２ａ  ねじ挿通孔
３  つまみねじ
４  ねじ頭部
５  ねじ部
６  導通部
【図１】
0003907922.tif 000002
【図２】
0003907922.tif 000003
【図３】
0003907922.tif 000004
【図４】
0003907922.tif 000005
【図５】
0003907922.tif 000006
【図６】
0003907922.tif 000007
【図７】
0003907922.tif 000008
【図８】
0003907922.tif 000009
【図９】
0003907922.tif 000010
【図１０】
0003907922.tif 000011
【図１１】
0003907922.tif 000012
【図１２】
0003907922.tif 000013
【図１３】
0003907922.tif 000014
【図１４】
0003907922.tif 000015
【図１５】
0003907922.tif 000016
【図１６】
0003907922.tif 000017
【図１７】
0003907922.tif 000018
【図１８】
0003907922.tif 000019
【図１９】
0003907922.tif 000020
【図２０】
0003907922.tif 000021
【図２１】
0003907922.tif 000022